(57)【要約】【課題】パイプロット刃及びロットガードを容易に交換することができると共に、安定性を向上させた孔明け装置を提供する。【解決手段】基台(2)上の一端に、手前に傾倒可能な取っ手(5)を備えた操作台(3)を形成し、取っ手(5)を手前に倒すことによりパイプロット刃(9)を上方から押し下げて基台(2)上の書類用紙に孔を明ける孔明け装置(1)において、パイプロット刃(9)を先割れの保持金具(23)を介してロットホルダー(14)に保持させると共に、基台(2)の上面にロットガード(10)用の凹部(2a)の底面と連絡するテーパ(2b)を形成したので、パイプロッド刃(9)及びロットガード(10)の交換作業が至極簡単となる。また、基台(2)の側面に張出支持部(2c)を備えたので、孔明け装置(1)を安定させた状態で孔明け作業をすることができる。【選択図】図１
2005186273.tif 000002
【特許請求の範囲】
【請求項１】
基台(2)上の一端に、手前に傾倒可能な取っ手(5)を備えた操作台(3)を形成し、前記取っ手(5)を手前に倒すことによりパイプロット刃(9)を上方から押し下げて基台(2)上の書類用紙に孔を明ける孔明け装置において、前記パイプロット刃(9)は、先割れの保持金具(23)を介してロットホルダー(14)に保持されることを特徴とする孔明け装置。
【請求項２】
基台(2)上の一端に、手前に傾倒可能な取っ手(5)を備えた操作台(3)を形成し、前記取っ手(5)を手前に倒すことによりパイプロット刃(9)を上方から押し下げて基台(2)上の書類用紙に孔を明ける孔明け装置において、前記基台(2)の側面に張出支持部(2c)を備えることを特徴とする孔明け装置。
【請求項３】
前記張出支持部(2c)は、その下面が前記基台(2)の下面と同一面に形成されることを特徴とする請求項２に記載の孔明け装置。
【請求項４】
基台(2)上の一端に、手前に傾倒可能な取っ手(5)を備えた操作台(3)を形成し、前記取っ手(5)を手前に倒すことによりパイプロット刃(9)を上方から押し下げて基台(2)上の書類用紙に孔を明ける孔明け装置において、前記基台(2)の上面に形成したロットガード(10)用の凹部(2a)に、該凹部(2a)の底面と連絡するテーパ(2b)を形成したことを特徴とする孔明け装置。
【発明の詳細な説明】
【技術分野】
【０００１】
書類用紙は総じてファイリングすることで見易くなる。そこで、紙面に孔を明けて紐、金具等で綴じるようにすることが知られている。本発明は、書類用紙に孔を明けるための孔明け装置に関するものである。
【背景技術】
【０００２】
書類用紙に孔を形成させる装置には、中空で円形の刃が形成されているパイプロット刃と、書類用紙を設置する所定の台とを備えた孔明け装置がある。パイプロット刃を書類用紙の上方または下方に配し、紙面をパイプロット刃で押圧して円形状に切り抜くようになっている。書類用紙の円形パンチ屑はパイプロット刃の内孔を通って排出させ、付属のごみ入れに回収するようにしている。
【０００３】
図１４に示す従来の孔明け装置１は、基台２の一方側上部に操作台３が連設され、他方側には書類用紙を載せるようになっている。操作台３上部には回動軸４に軸支された取っ手５が設けられ、取っ手５はばね付勢によって略垂直状態に保持され、前方に傾倒可能にされている。
また、図１４及び図１５に示すように、操作台３には載置した書類用紙の上方にせり出す突出部３ａを形成し、孔明け装置１の基台２に書類用紙を載置するときは、突出部３ａ奥側のストッパ６に書類用紙の端部を当てがい、さらに、ゲージ７によって書類用紙の幅方向の位置を決定する。
【０００４】
操作台突出部３ａの天井部３ｂには、書類用紙を押圧するプレート８と、プレート８に形成した一対の孔からそれぞれ下方に臨む中空のパイプロット刃９とが配設される。このパイプロット刃９の位置に対応して下方の基台２に一対の凹部２ａを設け、そこに合成樹脂製の円板状ロットガード１０を設置するようになっている。また、操作台３の内部にごみ容器１１を収納している。
【０００５】
図１５に示すように、取っ手５と連結する回動軸４にはギヤ１２が装着され、ギヤ１２と噛み合うラック１３が上下動可能に設けられている。ラック１３の下端には、パイプロット刃９を装着する筒状ロットホルダー１４が連結される。また、ロットホルダー１４の内孔に挿入されたパイプロット刃９は、ロットホルダー１４の側面からねじ込んだねじ１５によって固定されている。また、ロットホルダー１４の上端は後方に開口する排出ガイド１６と連絡され、さらに、滑り板１７を介して操作台３内のごみ容器１１と連絡されている。
【０００６】
この孔明け装置１を使用するとき、書類用紙をストッパ６及び、横方向位置を決定したゲージ７に合わせて基台２に載せ、次に、取っ手５を手前に回動させる。これにより、プレート８及び一対のパイプロット刃９が下降し、プレート８が書類用紙に圧接する。さらに取っ手５を押し下げるとパイプロット刃９が書類用紙を貫通する。
このとき、書類用紙のパンチ屑はパイプロット刃９の内部に停滞する。多数の書類用紙に孔を明けるとパンチ屑も増え、内部に溜ったパンチ屑が徐々に押し上げられて中空のパイプロット刃９の上端から排出され、排出ガイド１６及び滑り板１７を通ってごみ容器１１に回収されることになる。
【発明の開示】
【発明が解決しようとする課題】
【０００７】
図１４及び図１５に示す孔明け装置では、ロットホルダー１４の内孔に挿入されたパイプロット刃９は、ロットホルダー１４の側面からねじ込んだねじ１５により固定しているので、パイプロット刃９を交換する際には、まず、ねじ１５を緩めてからパイプロット刃９を取り外し、その後、別のパイプロット刃９をロットホルダー１４の内孔に挿入し、さらに、ロットホルダー１４の側面からねじ１５をねじ込んで、別のパイプロット刃９をロットホルダー１４取り付けるという作業をしなければならないため、パイプロット刃９の交換作業が煩雑となってしまう。
また、図１４及び図１５に示す孔明け装置では、重量を大きくして重心を安定させるようにしているが、図１４に示すように、基台２の一方側上部に操作台３が設置されると共に、操作台３の上部に取っ手５が略垂直状態に設けられているため、孔明け装置１の安定性に不安が残ってしまう。また、図１４に示すように、ゲージ７は基台２の側面から突き出した状態で設けられているため、ゲージ７の支持が不安定となる。
さらに、図１４及び図１５に示す孔明け装置では、ロットガード１０は、基台２の上面に設けられた一対の凹部２ａに隙間なく設置されているので、ロットガード１０を交換する際には、重量のある孔明け装置１自体を傾けるか、或は、凹部２ａ内に図示しない道具を差し込んで、ロットガード１０を取り外す必要があるため、ロットガード１０の交換作業が煩雑となってしまう。
【０００８】
本発明は、上記課題に鑑みてなされたものであり、パイプロット刃及びロットガードを容易に交換することができると共に、安定性を向上させた孔明け装置を提供することを目的とする。
【課題を解決するための手段】
【０００９】
本発明は上記目的を達成するために、請求項１の発明は、基台(2)上の一端に、手前に傾倒可能な取っ手(5)を備えた操作台(3)を形成し、前記取っ手(5)を手前に倒すことによりパイプロット刃(9)を上方から押し下げて基台(2)上の書類用紙に孔を明ける孔明け装置において、前記パイプロット刃 (9)は、先割れの保持金具(23)を介してロットホルダー(14)に保持されることを特徴とする。
請求項２の発明は、基台(2)上の一端に、手前に傾倒可能な取っ手(5)を備えた操作台(3)を形成し、前記取っ手(5)を手前に倒すことによりパイプロット刃(9)を上方から押し下げて基台(2)上の書類用紙に孔を明ける孔明け装置において、前記基台(2)の側面に張出支持部(2c)を備えることを特徴とする。
請求項３の発明は、請求項２の発明において、前記張出支持部(2c)は、その下面が前記基台(2)の下面と同一面に形成されることを特徴とする。
請求項４の発明は、基台(2)上の一端に、手前に傾倒可能な取っ手(5)を備えた操作台(3)を形成し、前記取っ手(5)を手前に倒すことによりパイプロット刃(9)を上方から押し下げて基台(2)上の書類用紙に孔を明ける孔明け装置において、前記基台(2)の上面に形成したロットガード(10)用の凹部(2a)に、該凹部(2a)の底面と連絡するテーパ(2b)を形成したことを特徴とする。
【発明の効果】
【００１０】
請求項１の発明では、パイプロッド刃は、先割れの保持金具を介してロットホルダーに保持されるので、パイプロッド刃を容易に交換することができる。
請求項２の発明では、基台の側面に張出支持部を形成したので、孔明け装置を安定させた状態で孔明け作業をすることができると共に、基台の側面から突出するゲージを支持することもできる。
請求項３の発明では、張出支持部は、その下面が基台の下面と同一面に形成されているので、孔明け装置をさらに安定させた状態で使用することができる。
請求項４の発明では、ロットガード用の凹部に、該凹部の底面と連絡するテーパを形成したので、ロットガードを容易に交換することができる。
【発明を実施するための最良の形態】
【００１１】
以下、本発明の実施の形態を添付図面に基づいて説明する。図１ないし図５に示す孔明け装置１は、上面が平坦な略長方形の基台２の一方側上部に、取っ手５の一対のアーム５ａに対応して独立に間隔をあけて一対の操作台３が形成され、各操作台３に左右方向に配した回動軸４（図１２参照）により、取っ手５が上方から手前に弧状に移動するように回動自在に設けられている。また、操作台３内部において各アーム５ａをばね付勢して、通常、取っ手５を略垂直状態に保持している。
また、図１ないし図５に示すように、基台２の書類用紙を載置する箇所の左右側には張出支持部２ｃが、基台２の両側面から突出するように形成されており、この張出支持部２ｃの上にゲージ７が設置され、図示しない書類用紙の縁部を揃えることで孔明けの位置決めを容易にさせている。ここで、張出支持部２ｃの下面は、基台２の下面と同一面を形成するように設定されており、重量のある孔明け装置１を図示しない被載置部に載置して孔明け作業をする際に、基台２の両側面から突出させた張出支持部２ｃを介して孔明け装置１を安定させた状態で孔明け作業をすることができるようにしている。
【００１２】
操作台３にはパイプロット刃９を装着するロットホルダー１４が設けられ、パイプロット刃９は操作台３の天井部３ｂから下方の基台２上面に臨むように取付けられる。そして、パイプロット刃９の下方の基台２上面にはロットガード１０用の凹部２ａが設けられ、この凹部２ａの壁面の略半円部に基台２の上面と凹部２ａの底面を連絡するテーパ２ｂが形成されている。
また、一対の操作台３の間にはごみ容器１１が配設され、互いの操作台３の向き合った面にはごみ容器１１内に連絡するように開口部３ｃ（図１及び図１１参照）が形成されている。ごみ容器１１は透明樹脂等で製作して操作側（前方）から内部が見えるようにされ、上方、または前方に簡単に引き出せる形状にされている。
【００１３】
次に、ごみ容器１１について説明する。
図８ないし図１０に示すように、ごみ容器１１は四角い上方開口の容器１８とその蓋１９とからなり、容器１８には蓋１９と重なり合う周縁内側に係止溝１８ａが形成され、また、容器１８の前部には後方に下る傾斜面１８ｃが形成されており、容器１８の後部底面にパンチ屑が溜り易くされている。また、容器１８の後部底面には位置決め用の凹部１８ｂが形成され、基台２上の凸部（図示略）と係合するようになっている。
蓋１９には容器１８と重なり合う周縁やや内側に下方に向けて凸部１９ａが形成され、蓋１９の前部天井の両側は窓となっていて、この部分を覆い、かつ、側方に拡張された耳部（連絡口）１９ｂが形成され、容器１８内と連通するようになっている。また、蓋１９の後部上面両側には溝部１９ｃが形成され、操作台３側壁の線状突起２０（図１１及び図１３参照）と遊嵌されるようになっている。
【００１４】
次に、操作台３周辺について説明する。
図１１ないし図１３に示すように、操作台３を構成する側壁には突出部３ａ上方に長方形の開口部３ｃがあけられ、上部に回動軸４を支持する孔３ｄが形成され、後部にごみ容器１１を保持する線状突起２０を形成させている。なお、操作台３は２枚の側壁を使用するが、装置外側の開口部３ｃは装飾板２１（図１参照）により閉じられている。
操作台３はロットホルダー１４を上下動自在に保持し、取っ手５とロットホルダー１４はリンク２２で連結されている。取っ手５の下限位置（略水平状態）において、リンク２２の上支点は、水平方向においてロットホルダー１４の中心線上より回動軸４側にある。
【００１５】
次に、ロットホルダー１４及びパイプロット刃９について説明する。
図６及び図７に示すように、ロットホルダー１４は角柱形状で下部にパイプロット刃９を取付ける円形の孔１４ａが形成されている。
ロットホルダー１４の上部には左右の厚みを削った部位にリンク２２と結合される連結用孔１４ｂが形成され、その下方に直角に交差してパイプロット刃９を固定するねじ孔１４ｃが形成されている。また、ロットホルダー１４の中間部側面に内部から上下方向に拡がる扇状の開口部１４ｄを形成し、下部に開口された円形の孔１４ａと連通させている。
また、図７（ａ）及び（ｂ）に示すように、ロットホルダー１４の角部に縦溝１４ｅが形成され、操作台３に備えたコ字状枠（樹脂製摺動ガイド）（図示省略）によって上下動自在に設置される。
【００１６】
パイプロット刃９は、図６（ａ）に示すように取付部の径が大きくされ、図６（ａ）及び図７（ａ）に示すように、先割れの保持金具２３の先端部２３ａに形成した略Ｕ字状の保持溝２３ｃで保持され、また、保持金具２３の基端部２３ｂは取付ねじ２４でロットホルダー１４に固定されている。なお、図６（ｂ）に示すようにパイプロット刃９の刃部先端はエッジが形成され、一旦内径が狭くなるが、これより上方は拡径されて書類用紙のパンチ屑が楽に通るようになっている。
【００１７】
本発明の孔明け装置１は、上記のように構成するものであり、書類用紙に孔を明けるときには、書類用紙を基台２上面に載せてパイプロット刃９の下方に挿入し、かつ、ゲージ７に合わせることによって抜き孔の位置を決める。
そして、取っ手５を回動させるとプレート８及びパイプロット刃９が降下し、書類用紙を押えると共に書類用紙を貫通する。そしてパイプロット刃９が基台２上に設置したロットガード１０を圧接し、僅かにくい込んだ位置で停止する。これによって書類用紙のパンチ屑はパイプロット刃９の内部に押し込められ、書類用紙には孔が明けられる。
パンチ屑は孔明け操作によって連続してパイプロット刃９の内部に押し込められ、上方に移動してロットホルダー１４の開口部１４ｄから外部に放出され、操作台３の開口部３ｃから排出されたパンチ屑は、側方に配置したごみ容器１１の耳部１９ｂに受けられ、容器１８の傾斜面１８ｃにそって落下し、ごみ容器１１に回収される。
【００１８】
このように、パイプロット刃９を簡単なリンク機構で上下動可能としたので、アーム１つに対して操作台３を薄幅に構成することができ、一対のアーム５ａに対して一組の操作台３，３間にごみ容器１１を設置することができる。
したがって、操作台３側面からパンチ屑を排出し、側方に配したごみ容器１１に回収することができる。ごみ容器１１内部はパンチ屑の溜り具合がわかり、中身を捨てるときには装置本体は動かさず、ごみ容器１１のみを上方または前方に取り出すことができる。また、ごみ容器１１は基台２上に載置するので、従来の基台２の下に内蔵するよりも形状の制約に自由が効き容量を大きくすることができる。
また、パイプロッド刃９は、先割れの保持金具２３を介してロットホルダー１４に保持されるので、パイプロッド刃９の交換作業が容易となる。
さらに、基台２の側面に張出支持部２ｃを形成したので、孔明け装置１を安定させた状態で孔明け作業をすることができる。また、基台２の側面から突出するゲージ７を支持することもできる。
また、ロットガード１０の交換時には基台２の凹部２ａに形成したテーパ２ｂによって着脱し易くなっている。
なお、パイプロット刃９及びこれと連動するアーム５ａの数を操作台３と共に増加して３孔あるいはそれ以上の孔を明ける構成としても良く、ごみ容器１１はそれぞれ操作台３の側方に配置するようになる。
【図面の簡単な説明】
【００１９】
【図１】本発明による実施の形態の孔明け装置の斜視図である。
【図２】図１に示す孔明け装置の側面図である。
【図３】図１に示す孔明け装置の上面図である。
【図４】図１に示す孔明け装置の前面図である。
【図５】図１に示す孔明け装置の後面図である。
【図６】図１に示す孔明け装置に組み込まれるロットホルダーを（ａ）側面と、（ｂ）前面断面で示す構成図である。
【図７】図１に示す孔明け装置に組み込まれるロットホルダーを（ａ）上面と、（ｂ）下面で示す構成図である。
【図８】本発明による実施の形態の孔明け装置に組み込まれるごみ容器の斜視図である。
【図９】図８に示すごみ容器の蓋側の要部断面図である。
【図１０】図８に示すごみ容器の容器側の断面図である。
【図１１】本発明による実施の形態の孔明け装置の操作台の側面図である。
【図１２】図１１に示す操作台の内部断面図である。
【図１３】図１１に示す操作台の前面図である。
【図１４】従来の孔明け装置の斜視図である。
【図１５】図１４の孔明け装置の要部断面図である。
【符号の説明】
【００２０】
１      孔明け装置
２      基台
２ａ    凹部
２ｂ    テーパ
２ｃ    張出支持部
３      操作台
３ａ    突出部
３ｂ    天井部
３ｃ    開口部
３ｄ    孔
４      回動軸
５      取っ手
５ａ    アーム
７      ゲージ
８      プレート
９      パイプロット刃
１０    ロットガード
１１    ごみ容器
１４    ロットホルダー
１４ａ  円形の孔
１４ｂ  連結用孔
１４ｃ  ねじ孔
１４ｄ  開口部
１４ｅ  縦溝
１８    容器
１８ａ  係止溝
１８ｂ  位置決め用の凹部
１８ｃ  傾斜面
１９    蓋
１９ａ  凸部
１９ｂ  連絡口（耳部）
１９ｃ  溝部
２０    線状突起
２１    装飾板
２２    リンク
２３    保持金具
２３ａ  先端部
２３ｂ  基端部
２３ｃ  保持溝
２４    取付ねじ
【図１】
2005186273.tif 000003
【図２】
2005186273.tif 000004
【図３】
2005186273.tif 000005
【図４】
2005186273.tif 000006
【図５】
2005186273.tif 000007
【図６】
2005186273.tif 000008
【図７】
2005186273.tif 000009
【図８】
2005186273.tif 000010
【図９】
2005186273.tif 000011
【図１０】
2005186273.tif 000012
【図１１】
2005186273.tif 000013
【図１２】
2005186273.tif 000014
【図１３】
2005186273.tif 000015
【図１４】
2005186273.tif 000016
【図１５】
2005186273.tif 000017